(57)【要約】【課題】固定具の長さにとらわれることなく手摺本体を薄くすることができ、コスト低減化を図ることができる手摺用笠木を提供する。【解決手段】手摺用笠木１０は、裏面側に空洞部１１が形成された笠木部材１と、笠木部材１を補強する補強部材２と、を備えており、空洞部１１内には、笠木部材１の裏面から一方向に延びる第１突起部１２ａと、この第１突起部１２ａの先端部から他方向に延びる第２突起部１２ｂとによって形成される係合突起部１２が設けられ、補強部材２は、係合突起部１２に係合されている。【選択図】　　　　図１
2004036135.tif 000002
【特許請求の範囲】
【請求項１】
裏面側に空洞部が形成された笠木部材と、この笠木部材を補強する補強部材と、を備えた手摺用笠木であって、
前記空洞部内には、前記笠木部材の裏面から一方向に延びる第１突起部と、この第１突起部の先端部から他方向に延びる第２突起部とによって形成される係合突起部が設けられ、
前記補強部材は、前記係合突起部に係合されていることを特徴とする手摺用笠木。
【請求項２】
前記係合突起部は前記笠木部材の裏面の少なくとも二ヶ所に設けられ、そのうち二つの前記係合突起部は、前記第１突起部が下方に向けて形成されるとともに、前記第２突起部がそれぞれの前記第１突起部の先端部から前記笠木部材の幅方向の外側に向けて形成されていることを特徴とする請求項１に記載の手摺用笠木。
【請求項３】
前記係合突起部は前記笠木部材の裏面の少なくとも二ヶ所に設けられ、そのうち二つの前記係合突起部は、前記第１突起部が下方に向けて形成されるとともに、前記第２突起部がそれぞれの前記第１突起部の先端部から前記笠木部材の幅方向の内側に向けて形成されていることを特徴とする請求項１に記載の手摺用笠木。
【請求項４】
前記笠木部材の幅方向の両端部には、内側に向けて折り返された折り返し部が形成されていることを特徴とする請求項１〜３のいずれか一項に記載の手摺用笠木。
【請求項５】
前記補強部材と前記折り返し部とが連結手段によって連結されていることを特徴とする請求項４に記載の手摺用笠木。
【請求項６】
前記補強部材は、複数の補強部品によって構成されていることを特徴とする請求項１〜５のいずれか一項に記載の手摺用笠木。
【請求項７】
前記笠木部材は、樹脂製押し出し成形材から形成され、
前記補強部材は、金属により形成されていることを特徴とする請求項１〜６のいずれか一項に記載の手摺用笠木。
【請求項８】
裏面側に空洞部が形成された笠木部材と、この笠木部材を補強する補強部材と、を備えた手摺用笠木を手摺子又は腰壁に取り付けるにあたり、
前記補強部材は、第１補強部品と第２補強部品とから構成され、
前記手摺子又は腰壁の上端部に前記第１補強部品を取り付け、
前記空洞部内に位置するように、前記笠木部材に前記第２補強部品を取り付け、
前記第１補強部品と前記第２補強部品とを連結することを特徴とする手摺用笠木の取付方法。
【請求項９】
請求項１〜７のいずれか一項に記載の手摺用笠木を手摺子又は腰壁に取り付けるにあたり、
前記補強部材は、第１補強部品と第２補強部品とから構成され、
前記第１補強部品を前記手摺子又は腰壁の上端部に固着し、
前記第２補強部品を前記係合突起部に係合し、
前記第１補強部品と前記第２補強部品とを連結することを特徴とする手摺用笠木の取付方法。
【請求項１０】
請求項１〜７のいずれか一項に記載の手摺用笠木を手摺子又は腰壁に取り付けるにあたり、
前記補強部材は、第１補強部品と第２補強部品とから構成され、
前記第１補強部品を前記手摺子又は腰壁の上端部に所定の間隔をおいて複数固着し、
前記第２補強部品を前記係合突起部に係合し、
前記係合突起部を前記第１補強部品に当接させるとともに、前記第２補強部品を前記第１補強部品から離間させた状態で、前記第１補強部品と前記第２補強部品とを第２連結手段によって連結することを特徴とする手摺用笠木の取付方法。
【発明の詳細な説明】
【０００１】
【発明の属する技術分野】
本発明は、手摺用笠木及び手摺用笠木の取付方法に関する。
【０００２】
【背景の技術】
バルコニー等の手摺子の上端部には、手摺用笠木が設けられる。これは、例えば、バルコニーの手摺を装飾するものであり、人が腕等を乗せ掛け、体を傾斜させて体重をかける場合等に、その荷重を受けるものでもある。したがって、構造的安全性は必要不可欠であり、さらに人の感覚を満足させるような、意匠的、材料的にも優れたものが望ましい。特開平０９−３１７１１３号公報に示す手摺用笠木もその一つであり、この手摺用笠木は、構造的安全性が確保されていることは勿論のこと、笠木材が非金属から構成されているため、人が笠木材に触れたとき、夏に熱く、冬に冷たく感じないようになっている。手摺用笠木は、手摺子の上端部に補強笠木が固定され、この補強笠木の上部に手摺本体が固定されたものである。
【０００３】
【発明が解決しようとする課題】
ところで、コスト低減化を図るため、手摺本体を薄く形成することが望まれていた。
しかしながら、上記の手摺本体は、補強笠木にねじ等の固定具によって固定されるため、手摺本体を薄く形成すると、手摺本体を補強笠木に固定する固定具が手摺本体を突き破って突出するため、手摺本体を薄くすることにも限界があった。また、手摺本体を薄くすると強度的にも問題が出てくる。
【０００４】
そこで、本発明の課題は、固定具の長さにとらわれることなく手摺本体を薄くすることができ、コスト低減化を図ることができるとともに強度的に問題のない手摺用笠木を提供することである。
【０００５】
【課題を解決するための手段】
上記課題を解決するため、請求項１記載の発明は、例えば、図１〜図６に示すように、裏面側に空洞部１１，３１，５１が形成された笠木部材１，３，５と、この笠木部材１，３，５を補強する補強部材２，４，６と、を備えた手摺用笠木１０，２０，３０であって、前記空洞部１１，３１，５１内には、前記笠木部材１，３，５の裏面から一方向に延びる第１突起部１２ａ，３２ａ，５２ａと、この第１突起部１２ａ，３２ａ，５２ａの先端部から他方向に延びる第２突起部１２ｂ，３２ｂ，５２ｂとによって形成される係合突起部１２，３２，５２が設けられ、前記補強部材２，４，６は、前記係合突起部１２，３２，５２に係合されていることを特徴とする。
【０００６】
請求項１記載の発明によれば、補強部材２，４，６は、笠木部材１，３，５の裏面から一方向に延びる第１突起部１２ａ，３２ａ，５２ａと、この第１突起部１２ａ，３２ａ，５２ａの先端部から他方向に延びる第２突起部１２ｂ，３２ｂ，５２ｂとによって形成される係合突起部１２，３２，５２に係合されているので、第１突起部１２ａ，３２ａ，５２ａあるいは第２突起部１２ｂ，３２ｂ，５２ｂのうちの一方が補強部材２，４，６の幅方向のずれを防止し、他方が補強部材２，４，６の上下方向のずれを防止する。よって、笠木部材１，３，５と補強部材２，４，６とを締結具を用いることなく容易に一体化できることとなって、手摺用笠木１０，２０，３０としての剛性を維持しながらも笠木部材１，３，５を薄くすることができ、コスト低減化を図ることができる。
【０００７】
請求項２記載の発明は、例えば、図１〜図３に示すように、請求項１に記載の手摺用笠木１０において、前記係合突起部１２は前記笠木部材１の裏面の少なくとも二ヶ所に設けられ、そのうち二つの前記係合突起部１２は、前記第１突起部１２ａが下方に向けて形成されるとともに、前記第２突起部１２ｂがそれぞれの前記第１突起部１２ａの先端部から前記笠木部材１の外側に向けて形成されていることを特徴とする。
【０００８】
請求項２記載の発明によれば、二つの係合突起部１２の第２突起部１２ｂは第１突起部１２ａの先端部から笠木部材１の外側に向けて形成されているので、補強部材２の幅方向に力が作用した場合、補強部材２が一方の係合突起部１２から外れようとしても他方の係合突起部１２がストッパとしての役割を果たすこととなって、笠木部材１と補強部材２とが分離するのを防止できる。
【０００９】
請求項３記載の発明は、例えば、図４及び図５に示すように、請求項１に記載の手摺用笠木２０において、前記係合突起部３２は前記笠木部材３の裏面の少なくとも二ヶ所に設けられ、そのうち二つの前記係合突起部３２は、前記第１突起部３２ａが下方に向けて形成されるとともに、前記第２突起部３２ｂがそれぞれの前記第１突起部３２ａの先端部から前記笠木部材３の内側に向けて形成されていることを特徴とする。
【００１０】
請求項３記載の発明によれば、二つの係合突起部３２の第２突起部３２ｂは第１突起部３２ａの先端部から笠木部材３の内側に向けて形成されているので、補強部材４の一つの係合部分で複数の係合突起部３２と係合させることができることとなって、係合突起部３２と同数の係合部分を設ける必要がなくなり、補強部材４の形状をより簡単なものとすることができる。
【００１１】
請求項４記載の発明は、例えば、図１〜図６に示すように、請求項１〜３のいずれか一項に記載の手摺用笠木１０，２０，３０において、前記笠木部材１，３，５の幅方向の両端部には、内側に向けて折り返された折り返し部１３，３３，５４が形成されていることを特徴とする。
【００１２】
請求項４記載の発明によれば、笠木部材１，３，５の幅方向の両端部には、内側に向けて折り返された折り返し部１３，３３，５４が形成されているので、この折り返し部１３，３３，５４でも補強部材１，３，５を支持することができることとなって、笠木部材１，３，５と補強部材２，４，６との一体化をより強固なものとすることができる。
【００１３】
請求項５記載の発明は、例えば、図４及び図５に示すように、請求項４に記載の手摺用笠木２０において、前記補強部材４と前記折り返し部３３とが連結手段Ｂ１によって連結されていることを特徴とする。
【００１４】
請求項５記載の発明によれば、補強部材４と折り返し部３３とが連結手段Ｂ１によって連結されているので、請求項１のように、笠木部材１と補強部材２とを係合する場合に比べてより強固に一体化できる。
【００１５】
請求項６記載の発明は、例えば、図１〜図３に示すように、請求項１〜５のいずれか一項に記載の手摺用笠木１０において、前記補強部材２は、複数の補強部品２１，２２によって構成されていることを特徴とする。
【００１６】
請求項６記載の発明によれば、補強部材２は複数の補強部品２１，２２によって構成されているので、一つ当たりの補強部品２１，２２は小さくできることとなって、運搬作業や組み立て作業を容易にすることができる。
【００１７】
請求項７記載の発明は、例えば、図１〜図６に示すように、請求項１〜６のいずれか一項に記載の手摺用笠木１０，２０，３０において、前記笠木部材１，３，５は、樹脂製押し出し成形材から形成され、前記補強部材２，４，６は、金属により形成されていることを特徴とする。
【００１８】
請求項７記載の発明によれば、笠木部材１，３，５は、樹脂製押し出し成形材から形成されているので、人が笠木部材１，３，５に触れたとき、夏に熱く、冬に冷たく感じないようにすることができる。また、補強部材２，４，６は、金属により形成されているので、笠木部材１，３，５を補強するのに十分な強度を発揮することができる。
【００１９】
請求項８記載の発明は、例えば、図１〜図３に示すように、裏面側に空洞部１１が形成された笠木部材１と、この笠木部材１を補強する補強部材２と、を備えた手摺用笠木１０を手摺子Ｈ又は腰壁Ｗに取り付けるにあたり、前記補強部材２は、第１補強部品２１と第２補強部品２２とから構成され、前記手摺子Ｈ又は腰壁Ｗの上端部に前記第１補強部品２１を取り付け、前記空洞部１１内に位置するように、前記笠木部材１に前記第２補強部品２２を取り付け、前記第１補強部品２１と前記第２補強部品２２とを連結することを特徴とする。
【００２０】
請求項８記載の発明によれば、手摺子Ｈ又は腰壁Ｗの上端部に第１補強部品２１を取り付け、空洞部１１内に位置するように、笠木部材１に第２補強部品２２を取り付け、第１補強部品２１と第２補強部品２２とを連結するので、笠木部材１は補強部材２を介して手摺子Ｈ又は腰壁Ｗに連結される。よって、笠木部材１と補強部材２とを締結具を用いることなく容易に一体化できることとなって、手摺用笠木１０としての剛性を維持しながらも笠木部材１を薄くすることができ、コスト低減化を図ることができる。
【００２１】
請求項９記載の発明は、例えば、図１〜図３に示すように、請求項１〜７のいずれか一項に記載の手摺用笠木１０を手摺子Ｈ又は腰壁Ｗに取り付けるにあたり、前記補強部材２は、第１補強部品２１と第２補強部品２２とから構成され、前記第１補強部品２１を前記手摺子Ｈ又は腰壁Ｗの上端部に固着し、前記第２補強部品２２を前記係合突起部１２に係合し、前記第１補強部品２１と前記第２補強部品２２とを連結することを特徴とする。
【００２２】
請求項９記載の発明によれば、補強部材２は、第１補強部品２１と第２補強部品２２とから構成されているので、第１補強部品２１は笠木部材１に邪魔されることなく手摺子Ｈ又は腰壁Ｗの上端部に容易に連結することができ、その後に第１補強部品２１と第２補強部品２２とを容易に連結することができることとなって、手摺用笠木１０の組み立て作業を容易にすることができる。
【００２３】
請求項１０記載の発明は、例えば、図１〜図３に示すように、請求項９に記載の手摺用笠木１０の取付方法において、前記第１補強部品２１を前記手摺子Ｈ又は腰壁Ｗの上端部に所定の間隔をおいて複数固着し、前記第２補強部品２２を前記係合突起部１２に係合し、前記係合突起部１２を前記第１補強部品２１に当接させるとともに、前記第２補強部品２２を前記第１補強部品２１から離間させた状態で、前記第１補強部品２１と前記第２補強部品２２とを第２連結手段Ｂ２によって連結することを特徴とする。
【００２４】
請求項１０記載の発明によれば、第１補強部品２１を手摺子Ｈ又は腰壁Ｗの上端部に所定の間隔をおいて複数固着するので、例えば、部分的に各部材１，２１，２２が膨張した場合、互いの部材１，２１，２２の膨張の度合いが異なっても、スライドさせて他の第１補強部品２１に連結することで、各部材１，２１，２２の局所的なひび割れや変形を防止できる。
また、第２補強部品２２を係合突起部１２に係合し、係合突起部１２を第１補強部品２１に当接させるとともに、第２補強部品２２を第１補強部品２１から離間させた状態で、第１補強部品２１と第２補強部品２２とを第２連結手段Ｂ２によって連結するので、第２補強部品２２が第１補強部品２１に押しつけられた状態で連結されることとなって、各部材１，２１，２２の膨張又は伸縮に追従できるとともに、笠木部材１のがたつきを抑えることができる。
【００２５】
【発明の実施の形態】
〔第１の実施の形態〕
以下、図面を参照して本発明の実施の形態である手摺用笠木及び手摺用笠木の取付方法について詳細に説明する。
図１〜図３に示すように、手摺用笠木１０は、バルコニー等の腰壁Ｗを装飾したり、強化するものであり、裏面側に空洞部１１（後述する）が形成された笠木部材１と、笠木部材１を補強する補強部材２等を備えている。
笠木部材１は、例えば、腰壁Ｗの上端部に取り付けられており、一枚の板材の幅方向の両側を下方にほぼ直角に折り曲げた形状とされている。さらに、笠木部材１の幅方向の折り曲げられた両側端部は、さらに、ほぼ直角に内側に向けて折り曲げられており、折り返し部１３が形成されている。これにより、笠木部材１の裏側には空洞部１１が形成されることになる。
【００２６】
また、空洞部１１には、例えば、二ヵ所に補強部材２を係合するための係合突起部１２が形成されている。係合突起部１２は、笠木部材１の裏面から下方に延びる第１突起部１２ａと、この第１突起部１２ａの先端部から笠木部材１の幅方向の外側に延びる第２突起部１２ｂとによって笠木部材１に一体形成されている。また、笠木部材１の裏面には係合突起部１２以外にも、補強部材１と略当接又は若干の隙間を有する突起部１４が形成されており、笠木部材１に外部から力が加わった場合に笠木部材１が空洞部１１に座屈してしまうことが防止されている。
ここで、笠木部材１は、例えば、建築用木質廃材の粗粉砕物に、粉砕処理と研磨処理を合わせた磨砕処理を行うことによって得られるセルロース系微粉粒に、塩化ビニル樹脂等の樹脂を混合し、溶融させて押出成形したものである。
【００２７】
補強部材２は、笠木部材１を補強するものであり、係合突起部１２、折り返し部１３に係合した状態で笠木部材１に取り付けられている。この補強部材２は、例えば、鋼板から形成されており、第１補強部品２１と第２補強部品２２とが第２連結手段としてのボルトＢ２にて連結されて構成されている。
第１補強部品２１は、腰壁Ｗの厚みとほぼ等しい幅の凹部２１ａが長手方向に沿って形成され、腰壁Ｗの上端部に凹部２１ａが填るようになっている。また、第１補強部品２１の上面には、長手方向に所定の間隔をおいて強化板２３が複数取り付けられており、この強化板２３が設けられた位置で、第１補強部品２１はビスＳ１によって腰壁Ｗの上端部に固着されている。
【００２８】
第２補強部品２２は、笠木部材１を補強する断面視略四角形状の筒体２２ａと、笠木部材１に係合するための係合板２２ｂとを備えている。この筒体２２ａと係合板２２ｂとは、ボルトやピンにて連結されており、係合板２２ｂの幅方向一端部が一方の係合突起部１２に係合され、幅方向他端部が一方の係合突起部１２に近い方の折り返し部１３に係合されている。
また、この強化板２３の幅方向の両端部で笠木部材１の下方からボルトＢ２を差し込むことで第１補強部品２１と第２補強部品２２とが連結されている。
このとき、係合突起部１２の第２突起部１２ｂは、第１補強部品２１の上面に当接されており、第２補強部品２２は、第１補強部品２１から離間された状態でボルトＢ２によって連結されている。
また、腰壁Ｗの外装材Ｅの上端部と第１補強部品２１の下面との間は、例えば、コーキング材Ｃ等による防水処理が施され、また、係合突起部１２と強化板２３との間も同様に防水処理が施されており、腰壁Ｗ内への侵水を遮断している。
【００２９】
次に、手摺用笠木１０の取付方法について説明する。
図２に示すように、手摺用笠木１０を腰壁Ｗに取り付けるには、まず、ビスＳ１を用いて第１補強部品２１及び強化板２３を腰壁Ｗの上端部に固着する。なお、強化板２３は、上述のように、所定の間隔をおいて取り付ける。第１補強部品２１及び強化板２３を固着した後、第１補強部品２１と腰壁Ｗの外装材Ｅの上端部との間にコーキング材Ｃ等により防水処理を施す。また、強化板２３の上面にも防水テープにより防水処理を施す。
【００３０】
また、第２補強部品２２は笠木部材１の長手方向の端部から係合板２２ｂの各端部を笠木部材１の係合突起部１２、折り返し部１３にそれぞれ係合させながら挿入することにより笠木部材１内に取り付ける。
次いで、第２補強部品２２を係合した笠木部材１を強化板２３の上面に被せ、第１補強部品２１と第２補強部品２２と強化板２３とをボルトＢ２を用いて連結する。ここで、ボルトＢ２で連結する前は、係合突起部１２の第２突起部１２ｂが強化板２３の上面に当接されており、第２補強部品２２が第１補強部品２１から離間された状態となっている。そして、ボルトＢ２で第１補強部品２１と第２補強部品２２と強化板２３とを連結すると、第２補強部品２２を係合した笠木部材１は、強化板２３へ押しつけられた状態で連結される。
【００３１】
本実施の形態の手摺用笠木１０及びその取付方法によれば、補強部材２は、第１突起部１２ａと第２突起部１２ｂとを備えた係合突起部１２に係合されているので、第１突起部１２ａが補強部材２の幅方向のずれを防止し、第２突起部１２ｂが補強部材２の上下方向のずれを防止する。よって、笠木部材１と補強部材２とをビスやボルト等の締結具を用いることなく容易に一体化できることとなって、手摺用笠木１０としての剛性を維持しながらも笠木部材１を薄くすることができ、コスト低減化を図ることができる。
また、係合突起部１２の第２突起部１２ｂは第１突起部１２ａの先端部から笠木部材１の外側に向けて延びているので、補強部材２の幅方向に力が作用した場合、補強部材２が一方の係合突起部１２から外れようとしても他方の係合突起部１２がストッパとしての役割を果たすこととなって、笠木部材１と補強部材２とが分離するのを防止できる。
【００３２】
さらに、第１補強部品２１を手摺子Ｈ又は腰壁Ｗの上端部に所定の間隔をおいて複数固着するので、例えば、部分的に各部材１，２１，２２が膨張した場合、互いの部材１，２１，２２の膨張の度合いが異なっても、スライドさせて他の第１補強部品２１に連結することで、各部材１，２１，２２の局所的なひび割れや変形を防止できる。
また、第２補強部品２２を係合突起部１２に係合し、係合突起部１２を第１補強部品２１に当接させるとともに、第２補強部品２２を第１補強部品２１から離間させた状態で、第１補強部品２１と第２補強部品２２とを第２連結手段Ｂ２によって連結するので、第２補強部品２２が第１補強部品２１に押しつけられた状態で連結されることとなって、各部材１，２１，２２の膨張又は伸縮に追従できるとともに、笠木部材１のがたつきを抑えることができる。
【００３３】
また、笠木部材１の幅方向の両端部には、内側に向けて折り返された折り返し部１３が形成されているので、この折り返し部１３でも補強部材２を支持することができることとなって、笠木部材１と補強部材２との一体化をより強固なものとすることができる。
また、補強部材２は第１補強部品２１と第２補強部品２２とに分割されているため、第１補強部品２１は笠木部材１に邪魔されることなく腰壁Ｗの上端部に容易に連結することができ、係合突起部１２に係合された第２補強部品２２と第１係合部品２１とは、ボルトＢ２によって容易に連結することができるので、手摺用笠木１０の組み立て作業を容易にすることができる。さらに、第１補強部品２１、第２補強部品２２は補強部材２に比べて小さくできるので、運搬作業や組み立て作業を容易にすることができる。
【００３４】
なお、本発明は、上記実施の形態に限定されるものではない。例えば、笠木部材１を形成する材料は任意であって、繊維強化プラスチック等を用いてもよい。また、補強部材２においても、笠木部材１に一部が係合していればよく、その形状は自由に変更可能である。また、図７に示すように、係合突起部１２の第２突起部１２ｂは第１突起部１２ａの先端部から笠木部材１の内側に向けて延びていてもよい。これにより、補強部材２の一つの係合部分で複数の係合突起部１２と係合させることができることとなって、係合突起部１２と同数の係合部分を設ける必要がなくなり、補強部材２の形状をより簡単なものとすることができる。
【００３５】
〔第２の実施の形態〕
次に、本発明の第２の実施の形態について説明する。
図４に示すように、手摺用笠木２０は、裏側に空洞部３１（後述する）が形成された笠木部材３と、笠木部材３を補強する補強部材４等を備えている。
笠木部材３は、断面視が左右対称となっており、かつ、外表面全体が曲面に形成されており、その幅方向の両側が湾曲されて折り返し部３３が形成されている。この折り返し部３３は、上述の折り返し部１３に比べて笠木部材３の幅方向に長く形成されており、手摺子Ｈと連結する連結手段としてのボルトＢ１用の穴部３３ｈが形成されている。また、折り返し部３３を形成することで笠木部材３の裏側には空洞部３１が形成されている。
【００３６】
また、空洞部３１には、例えば、二ヵ所に補強部材４を係合するための係合突起部３２が形成されている。係合突起部３２は、笠木部材３の裏面から下方に延びる第１突起部３２ａと、この第１突起部３２ａの先端部から笠木部材３の幅方向の内側に延びる第２突起部３２ｂとによって笠木部材３に一体形成されている。また、笠木部材３の裏面には係合突起部３２以外にも、突起部３４が形成されており、笠木部材３に外部から力が加わった場合に笠木部材３が空洞部３１に座屈してしまうことが防止されている。
ここで、笠木部材３は、例えば、建築用木質廃材の粗粉砕物に、粉砕処理と研磨処理を合わせた磨砕処理を行うことによって得られるセルロース系微粉粒に、塩化ビニル樹脂等の樹脂を混合し、溶融させて押出成形したものである。
【００３７】
補強部材４は、係合突起部３２、折り返し部３３に係合した状態で空洞部３１内に位置するように、笠木部材３に取り付けられている。この補強部材４は、例えば、鋼板から形成されており、笠木部材３の折り返し部３３でボルトＢ１により連結されている。
また、補強部材４は、上述の補強部材２と異なって一体に形成されており、上方に形成された係合部４１と側方下部に形成された連結部４２とを備えている。また、係合部４１は、補強部材４の上面から幅方向に突出した部分であり、係合突起部３２と係合されている。一方、連結部４２は、補強部材４の側方下部から幅方向に延びる、上下２つの延在部分であり、上下２つの延在部分の間に笠木部材３の折り返し部３３が嵌め込まれている。また、連結部４２には、ボルトＢ１を挿通するための長穴部４２ｈが形成されており、折り返し部３３に形成された穴部３３ｈと長穴部４２ｈとに下方からボルトＢ１が挿通されて笠木部材３と補強部材４とが連結されている。
【００３８】
また、補強部材４の下面には、手摺子Ｈと連結するためのボルトＢ３用の穴部４３ｈが形成されており、手摺子Ｈの上端面と連結されている。
なお、手摺用笠木２０が連結される手摺子Ｈは、内部が中空に形成されるとともに、側面の一部の上下方向に手を挿入可能な大きさの切欠部Ｋが形成されており、手摺子Ｈは、手摺子Ｈの上端面の裏側からボルトＢ３によって補強部材４と連結されている。
【００３９】
次に、手摺用笠木２０の取付方法について説明する。
手摺用笠木２０を手摺子Ｈに取り付けるには、まず、補強部材４を笠木部材３の長手方向の端部から係合部４１を係合突起部３２に係合し、連結部４２を折り返し部３３に嵌め込んで、ボルトＢ１を用いて笠木部材３と補強部材４とを連結する。
次いで、笠木部材３と補強部材４とを連結してできた手摺用笠木２０を手摺子Ｈの上端面に設置し、切欠部Ｋから手を挿入してボルトＢ３により手摺子Ｈと手摺用笠木２０とを連結することにより、手摺用笠木２０を取り付ける。なお、手摺用笠木２０と手摺子Ｈとの間には防水処理を施しておく。
【００４０】
本実施の形態の手摺用笠木２０及びその取付方法によれば、係合突起部３２の第２突起部３２ｂは第１突起部３２ａの先端部から笠木部材３の内側に向けて延びているので、一体に形成された補強部材４で複数の係合突起部３２と係合させることができることとなって、補強部材４の形状をより簡単なものとすることができる。
また、笠木部材３の幅方向の両端部には、内側に向けて折り返された折り返し部３３が形成されているので、この折り返し部３３でも補強部材４を支持することができることとなって、笠木部材３と補強部材４との一体化を強固なものとすることができる。
さらに、補強部材４と折り返し部３３とがボルトＢ１によって連結されているので、第１の実施の形態のように、笠木部材３と補強部材４とを係合するだけの場合に比べてより強固に一体化できる。また、折り返し部３３の上方は笠木部材３の空洞部３１が形成されているので、ボルトＢ１が折り返し部３３や連結部４２を突き破って突出しても、ボルトＢ１が外部に露出することがなくなるので、見映えを損なわない。
【００４１】
なお、本発明は、上記実施の形態に限定されるものではない。例えば、図５に示すように、笠木部材３を幅方向に左右非対称な形状にしてもよいし、補強部材４の形状も笠木部材３の形状に対応して変更可能である。
【００４２】
〔第３の実施の形態〕
次に、本発明の第３の実施の形態について説明する。
図６に示すように、手摺用笠木３０は、裏側に空洞部５１（後述する）が形成された笠木部材５と、笠木部材５を補強する補強部材６と、補強部材６に補強された笠木部材５を手摺子Ｈ及び外装材Ｅに連結する固定部材７等を備えている。笠木部材５は、手摺子Ｈ及び外装材Ｅの上端部に取り付けられており、一枚の板材の幅方向の両側を下方にほぼ直角に折り曲げたような形状とされている。これにより、笠木部材５の裏側には空洞部５１が形成されることになる。さらに、笠木部材５の幅方向の折り曲げられた両側は、さらに、ほぼ直角に内側に向けて折り曲げられており、折り返し部５４が形成されている。
【００４３】
また、笠木部材５の裏面の側方の二ヵ所に補強部材６を係合するための係合突起部５２が形成されている。係合突起部５２は、笠木部材５の裏面の側方から笠木部材５の幅方向の内側に延びる第１突起部５２ａと、この第１突起部５２ａの先端部から笠木部材５の下方に延びる第２突起部５２ｂとによって笠木部材５に一体形成されている。また、笠木部材５の裏面の上方には、補強部材６と締結するための締結部５３が形成されており、ビスＳ２を挿通するための穴部５３ｈが形成されている。
ここで、笠木部材５は、例えば、建築用木質廃材の粗粉砕物に、粉砕処理と研磨処理を合わせた磨砕処理を行うことによって得られるセルロース系微粉粒に、塩化ビニル樹脂等の樹脂を混合し、溶融させて押出成形したものである。
【００４４】
補強部材６は、笠木部材５を補強するものであり、係合突起部５２、折り返し部５４に係合し、締結部５３にビスＳ２で締結された状態で空洞部５１内に位置するように、笠木部材５に取り付けられている。また、補強部材６は、例えば、鋼板から形成されており、係合突起部５２の第１突起部５２ａ及び折り返し部５４で支持されている。この補強部材６のうち、手摺子Ｈの上端部に当接する面には固定部材７と連結するためのボルトＢ４を挿通する穴部６ｈが形成されている。また、穴部５３ｈに対応する箇所にはビスＳ２を挿通するための長穴部６ｉが形成されている。
【００４５】
固定部材７は、手摺子Ｈ及び外装材Ｅの上端部に取り付けられており、例えば、補強部材６と同じ鋼板等で形成されている。
固定部材７は、外装材Ｅの上端部に取り付けられる外装材固定部７１と、手摺子Ｈの上端部に取り付けられる手摺子固定部７２と、を備えている。外装材固定部７１は、外装材Ｅの上端部に嵌め込まれて固定されており、その内壁側で手摺子固定部７２と嵌合されている。手摺子固定部７２は、そのほぼ中央部分に補強部材６と連結するためのボルトＢ４を挿通する穴部７１ｈが形成されている。
【００４６】
次に、手摺用笠木３０の取付方法について説明する。
手摺用笠木３０を手摺子Ｈ及び外装材Ｅに取り付けるには、まず、接着剤等の固定手段によって手摺子固定部７１を手摺子Ｈの上端部に固定し、外装材固定部７２を外装材Ｅの上端部に固定する。また、この際に、手摺子固定部７１と外装材固定部７２とを嵌合しておく。
次いで、笠木部材５の長手方向の端部から補強部材６を挿入し、ビスＳ２を穴部５３ｈ、長穴部６ｉに通して笠木部材５と連結部材６とを連結する。
次いで、係合突起部５２に補強部材６を係合した笠木部材５を固定部材７の上面に被せ、切欠部Ｋから手を挿入して固定部材７の下面からボルトＢ４を穴部７１ｈ及び穴部６ｈに挿通することで手摺用笠木３０を手摺子Ｈ及び外装材Ｅに取り付ける。
【００４７】
本実施の形態の手摺用笠木３０及びその取付方法によれば、上述の実施の形態と異なり、笠木部材５と補強部材６、補強部材６と手摺子Ｈ及び外装材Ｅとが、ともにビスＳ２又はボルトＢ４によって連結されているため、各部材間の連結強度を高めることができ、耐久性に優れた手摺用笠木３０とすることができる。
【００４８】
なお、本発明は、上記実施の形態に限定されるものではない。例えば、係合突起部５２を形成する場所は任意であって、笠木部材５の裏面の上方に形成してもよい。また、ビスＳ２で笠木部材５と補強部材６とを連結する場所も任意であって、補強部材６と固定部材７との連結を遮る場所でなければどこでもよい。その他、発明の要旨を逸脱しない範囲内であれば自由に変更が可能である。
【００４９】
【発明の効果】
請求項１記載の発明によれば、補強部材は、第１突起部と、第２突起部とによって形成される係合突起部に係合されているので、第１突起部あるいは第２突起部のうちの一方が補強部材の幅方向のずれを防止し、他方が補強部材の上下方向のずれを防止する。よって、笠木部材と補強部材とを締結具を用いることなく容易に一体化できることとなって、手摺用笠木としての剛性を維持しながらも笠木部材を薄くすることができ、コスト低減化を図ることができる。
【００５０】
請求項２記載の発明によれば、二つの第２突起部は第１突起部の先端部から笠木部材の外側に向けて形成されているので、補強部材の幅方向に力が作用した場合、補強部材が一方の係合突起部から外れようとしても他方の係合突起部がストッパとしての役割を果たすこととなって、笠木部材と補強部材とが分離するのを防止できる。
【００５１】
請求項３記載の発明によれば、二つの第２突起部は第１突起部の先端部から笠木部材の内側に向けて形成されているので、補強部材の一つの係合部分で複数の係合突起部と係合させることができることとなって、係合突起部と同数の係合部分を設ける必要がなくなり、補強部材の形状をより簡単なものとすることができる。
【００５２】
請求項４記載の発明によれば、笠木部材の幅方向の両端部には、内側に向けて折り返された折り返し部が形成されているので、この折り返し部でも補強部材を支持することができることとなって、笠木部材と補強部材との一体化をより強固なものとすることができる。
【００５３】
請求項５記載の発明によれば、補強部材と折り返し部とが連結手段によって連結されているので、請求項１のように、笠木部材と補強部材とを係合する場合に比べてより強固に一体化できる。
【００５４】
請求項６記載の発明によれば、補強部材は複数の補強部品によって構成されているので、一つ当たりの補強部品を小さくできることとなって、運搬作業や組み立て作業を容易にすることができる。
【００５５】
請求項７記載の発明によれば、笠木部材は、樹脂製押し出し成形材から形成されているので、人が笠木部材に触れたとき、夏に熱く、冬に冷たく感じないようにすることができる。また、補強部材は、金属により形成されているので、笠木部材を補強するのに十分な強度を発揮することができる。
【００５６】
請求項８記載の発明によれば、手摺子又は腰壁の上端部に第１補強部品を取り付け、空洞部内に位置するように、笠木部材に第２補強部品を取り付け、第１補強部品と第２補強部品とを連結するので、笠木部材は補強部材を介して手摺子又は腰壁に連結される。よって、笠木部材と補強部材とを締結具を用いることなく容易に一体化できることとなって、手摺用笠木としての剛性を維持しながらも笠木部材を薄くすることができ、コスト低減化を図ることができる。
【００５７】
請求項９記載の発明によれば、補強部材は、第１、第２補強部品から構成されているので、第１補強部品は笠木部材に邪魔されることなく手摺子又は腰壁の上端部に容易に連結することができ、その後に第１補強部品と第２補強部品とを容易に連結することができることとなって、手摺用笠木の組み立て作業を容易にすることができる。
【００５８】
請求項１０記載の発明によれば、第１補強部品を手摺子又は腰壁の上端部に所定の間隔をおいて複数固着するので、例えば、部分的に各部材が膨張した場合、互いの部材の膨張の度合いが異なっても、スライドさせて他の第１補強部品に連結することで、各部材の局所的なひび割れや変形を防止できる。
また、第２補強部品を係合突起部に係合し、係合突起部を第１補強部品に当接させるとともに、第２補強部品を第１補強部品から離間させた状態で、第１補強部品と第２補強部品とを第２連結手段によって連結するので、各部材の膨張又は伸縮に追従できるとともに、笠木部材のがたつきを抑えることができる。
【図面の簡単な説明】
【図１】本発明の第１の実施の形態における手摺用笠木の斜視図である。
【図２】上記実施の形態における手摺用笠木を分割した状態の斜視図である。
【図３】上記実施の形態における手摺用笠木の断面図である。
【図４】本発明の第２の実施の形態における手摺用笠木の断面図である。
【図５】上記実施の形態における他の例の手摺用笠木の断面図である。
【図６】本発明の第３の実施の形態における手摺用笠木の断面図である。
【図７】本発明の実施の形態における係合突起部を説明するための模式図である。
【符号の説明】
１，３，５　　　　　　　　笠木部材
１１，３１，５１　　　　　空洞部
１２，３２，５２　　　　　係合突起部
１２ａ，３２ａ，５２ａ　　第１突起部
１２ｂ，３２ｂ，５２ｂ　　第２突起部
１３，３３，５４　　　　　折り返し部
２，４，６　　　　　　　　補強部材
２１　　　　　　　　　　　第１補強部品
２２　　　　　　　　　　　第２補強部品
１０，２０，３０　　　　　手摺用笠木
Ｂ１　　　　　　　　　　　連結手段
Ｂ２　　　　　　　　　　　第２連結手段
【図１】
2004036135.tif 000003
【図２】
2004036135.tif 000004
【図３】
2004036135.tif 000005
【図４】
2004036135.tif 000006
【図５】
2004036135.tif 000007
【図６】
2004036135.tif 000008
【図７】
2004036135.tif 000009